(57)【要約】【課題】リセット動作以外の外部要因によるリセット棒が押し下げられることを防止することが可能な熱動形過負荷継電器を提供する。【解決手段】ケーシング内に、過負荷を検知して変位する主バイメタルと、該主バイメタルに連動するシフタの変位に従動する釈放レバーと、該釈放レバーの回動により反転動作を行って接点を切り換える接点反転機構と、前記釈放レバー及び前記接点反転機構を操作する操作部とを配置し、前記操作部は、押し込み動作で前記接点反転機構を初期状態に復帰させるリセット棒を前記ケーシング内から外部に突出させて設けている熱動形過負荷継電器であって、前記リセット棒の近傍に当該リセット棒に対するリセット動作以外の外部要因による押し込み動作を規制する押し込み規制突部を配置している。【選択図】図２
2014107023.tif 000002
【特許請求の範囲】
【請求項１】
ケーシング内に、過負荷を検知して変位する主バイメタルと、該主バイメタルに連動するシフタの変位に従動する釈放レバーと、該釈放レバーの回動により反転動作を行って接点を切り換える接点反転機構と、前記釈放レバー及び前記接点反転機構を操作する操作部とを配置し、前記操作部は、押し込み動作で前記接点反転機構を初期状態に復帰させるリセット棒を前記ケーシング内から外部に突出させて設けている熱動形過負荷継電器であって、
前記リセット棒の近傍に当該リセット棒に対するリセット動作以外の外部要因による押し込み動作を規制する押し込み規制突部を配置したことを特徴とする熱動形過負荷継電器。
【請求項２】
前記押し込み規制突部は、前記リセット棒の外部の接続機器を接続する背面側に形成されていることを特徴とする請求項１に記載の熱動形過負荷継電器。
【請求項３】
前記ケーシングは、前記操作部を覆う開閉カバーを有し、該開閉カバーに前記リセット棒を挿通する挿通孔の周囲に前記押し込み規制突部が形成されていることを特徴とする請求項１又は２に記載の熱動形過負荷継電器。
【請求項４】
前記リセット棒は、押し込み自在な手動リセット位置と、該手動リセット位置からの押し回し操作により押し込み状態に保持される自動リセット位置とに切り替え可能に構成され、前記手動リセット位置が前記リセット棒に形成された係合凹部と前記開閉カバーの挿通孔に形成された係合凸部とを係合させることにより保持されることを特徴とする請求項３に記載の熱動形過負荷継電器。
【請求項５】
前記ケーシングは、前記主バイメタル、前記釈放レバー、前記接点反転機構及び前記操作部を格納するケースと、該ケースの開口部を閉塞可能に当該ケースに着脱自在に装着され、前記外部の接続機器に接続する複数の接続線を外部に突出させる接続線通過部を設けたカバーを有し、該カバーに前記押し込み規制突部を形成したことを特徴とする請求項１又は２に記載の熱動形過負荷継電器。
【請求項６】
前記押し込み規制突部は、前記外部の接続機器に接続される配線の接触による前記リセット棒の押し込みを防止するように形成されていることを特徴とする請求項２又は５に記載の熱動形過負荷継電器。
【発明の詳細な説明】
【技術分野】
【０００１】
本発明は、過電流を検知したときに接点の切り替えを行う熱動形過負荷継電器に関し、特に、トリップ状態から復帰状態に復帰させる操作部の改良に関する。
【背景技術】
【０００２】
主回路に流れる過負荷電流を検知して作動する熱動形負荷継電器として、例えば特許文献1に記載されている装置が知られている。
この特許文献１に記載された熱動形過負荷継電器では、背面側に電磁接触器を接続するように構成されている。そして、熱動形過負継電器の上面における右端寄りで且つ背面寄り位置に、押し込みによってトリップ状態から復帰状態に復帰させるリセット棒が突出して配置されている。
【先行技術文献】
【特許文献】
【０００３】
【特許文献１】特開２０１０−２３２０５７号公報
【発明の概要】
【発明が解決しようとする課題】
【０００４】
ところで、上述した特許文献１に記載された従来例では、熱動形過負荷継電器の上面における電磁接触器を接続する背面側に押し込みによりトリップ状態から復帰状態に復帰させるリセット棒が突出配置されている。このため、電磁接触器に形成された熱動形過負荷継電器側の外部接続端子に配線を接続したときに、配線の引き回し具合によっては配線がリセット棒に接触して、リセット棒を押し込んでしまい不用意にリセット状態となってしまう可能性があるという未解決の課題がある。
そこで、本発明は上述した従来例の未解決の課題に着目してなされたものであり、リセット動作以外の外部要因によってリセット棒が押し込まれることを防止することが可能な熱動形過負荷継電器を提供することを目的としている。
【課題を解決するための手段】
【０００５】
上記課題を解決するために、本発明に係る熱動形過負荷継電器の第１の態様は、ケーシング内に、過負荷を検知して変位する主バイメタルと、該主バイメタルに連動するシフタの変位に従動する釈放レバーと、該釈放レバーの回動により反転動作を行って接点を切り換える接点反転機構と、前記釈放レバー及び前記接点反転機構を操作する操作部とを配置し、前記操作部は、押し込み動作で前記接点反転機構を初期状態に復帰させるリセット棒を前記ケーシング内から外部に突出させて設けている熱動形過負荷継電器である。そして、前記リセット棒の近傍に当該リセット棒に対するリセット動作以外の外部要因による押し込み動作を規制する押し込み規制突部を配置している。
【０００６】
また、本発明に係る熱動形過負荷継電器の第２の態様は、前記押し込み規制突部が、前記リセット棒の外部の接続機器を接続する背面側に形成されている。
また、本発明に係る熱動形過負荷継電器の第３の態様は、前記ケーシングが、前記操作部を覆う開閉カバーを有し、該開閉カバーに前記リセット棒を挿通する挿通孔の周囲に前記押し込み規制突部が形成されている。
【０００７】
また、本発明に係る熱動形過負荷継電器の第４の態様は、前記リセット棒が、押し込み自在な手動リセット位置と、該手動リセット位置からの押し回し操作により押し込み状態に保持される自動リセット位置とに切り替え可能に構成され、前記手動リセット位置が前記リセット棒に形成された係合凹部と前記開閉カバーの挿通孔に形成された係合凸部とを係合させることにより保持されている。
【０００８】
また、本発明に係る熱動形過負荷継電器の第５の態様は、前記ケーシングが、前記主バイメタル、前記釈放レバー、前記接点反転機構及び前記操作部を格納するケースと、該ケースの開口部を閉塞可能に当該ケースに着脱自在に装着され、前記外部の接続機器に接続する複数の接続線を外部に突出させる接続線通過部を設けたカバーを有し、該カバーに前記押し込み規制突部が形成されている。
【０００９】
また、本発明に係る熱動形過負荷継電器の第６の態様は、前記押し込み規制突部が、前記外部の接続機器に接続される配線の接触による前記リセット棒の押し込みを防止するように形成されている。
【発明の効果】
【００１０】
本発明によれば、ケーシングに突出形成されたリセット棒の近傍にリセット棒に対するリセット動作以外の外部要因による押し込み動作を規制する押し込み規制突部を配置したので、リセット動作以外の外部要因によりリセット棒が押し込まれることを確実に阻止することができ、誤動作を防止することができる。
【図面の簡単な説明】
【００１１】
【図１】本発明の第１の実施形態に係る熱動形過負荷継電器に電磁接触器を接続した状態を示す外観斜視図である。
【図２】図１の熱動形過負荷継電器の要部を拡大して示す斜視図である。
【図３】図１の熱動形過負荷継電器の開閉カバーを開けた状態を示す斜視図である。
【図４】熱動形過負荷継電器の開閉カバーを示す斜視図である。
【図５】図３の開閉カバーを取り外した状態のＡ−Ａ線上の断面図である。
【図６】接点反転機構を示す図であって、（ａ）は初期状態を示す図、（ｂ）はトリップ状態を示す図である。
【図７】図１の電磁接触器に配線を接続した状態を示す平面図である。
【図８】図７の側面図である。
【図９】本発明の第２の実施形態を示す図１と同様の外観斜視図である。
【図１０】第２の実施形態の要部を拡大して示す平面図である。
【図１１】第２の実施形態における熱動形過負荷継電器の背面側から見た斜視図である。
【図１２】第２の実施形態における熱動形過負荷継電器と、取り外したカバーとを示す斜視図である。
【図１３】第２実施形態における開閉カバーを示す斜視図である。
【発明を実施するための形態】
【００１２】
以下、本発明に係る熱動形過負荷継電器の第１の実施形態について図面を伴って説明する。
図１は本発明に係る熱動形過負荷継電器に電磁接触器を接続した状態を示す外観斜視図である。
図中、１は熱動形過負荷継電器であって、この熱動形過負荷継電器１の背面側に電磁接触器５０が接続されている。
【００１３】
熱動形過負荷継電器１は、図２及び図３に示すように、絶縁性のケーシング２を有し、このケーシング２の上面に左端部のヒンジ部３によって開閉可能な開閉カバー４が配設されている。
ケーシング２の上面には、図３に示すように、調整ダイヤル９の調整部９ａと、後述する接点反転機構をリセット操作するリセット棒４３と、接点反転機構の動作表示・手動トリップ操作窓４４とからなる操作部４５が設けられている。
【００１４】
開閉カバー４には、図４に示すように、リセット棒４３を挿通する挿通孔５が形成され、この挿通孔５の左端側にリセット棒４３の回動を規制するロック用の係合凸部６が形成されている。さらに、開閉カバー４には、挿通孔５の電磁接触器５０と対向する側縁にリセット棒４３のリセット動作以外の外部要因による押し込み動作を規制する押し込み規制突部７が一体に形成されている。この押し込み規制突部７は、図２に示すように、挿通孔５の後縁部及び右側縁部に沿う板状の突出片８で形成され、その突出高さは開閉カバー４を閉じて挿通孔５からリセット棒４３を突出させた状態で、リセット棒４３がリセット位置まで押し込まれることがないような高さに選定されている。
【００１５】
ケーシング２内には、図５に示すように、主バイメタル１５の自由端に係合したシフタ１６の変位に従動する調整機構２０と、調整機構２０の動作により接点が切り替わる接点反転機構２１とが配置されている。
調整機構２０は、調整リンク２２と、この調整リンクに回動自在に支持された釈放レバー２３と、この釈放レバー２３に固定され、シフタ１６に係合する温度補償バイメタル２４とを備えている。
【００１６】
調整リンク２２は、釈放レバー２３を支持するリンク支持部２５と、リンク支持部２５の一側から下方に延在している脚部２６とで構成されている。そして、ケーシング２の下部側の内壁には、支軸２７が絶縁ケース１内に突出して設けられており、この支軸２７の縮径された先端部に脚部２６の軸受穴２６ａを挿入することで、調整リンク２２全体が、支軸２７を中心として回動自在にケーシング２に支持されている。
【００１７】
釈放レバー２３は、リンク支持部２５に回動軸２３ａによって回動可能に支持されているとともに、裏面に、温度補償バイメタル２４の端部をかしめて固定している。
接点反転機構２１は、図６に示すように、ケーシング２内に配置した反転機構支持部３２と、この反転機構支持部３２の近傍に配置され、ケーシング２の内壁に設けた支軸３３に回動自在に支持された連動板３４と、反転機構支持部３２に当接した下部３５ａを支点として上部３５ｂが揺動自在に配置されている可動板３５と、可動板３５の上部３５ｂ側と反転機構支持部３２のばね支持部３２ａとの間に張架された引張りコイルばね３６とを備えている。
【００１８】
また、連動板３４には、可動板３５の反転動作、復帰動作とともに連動板３４を支軸３３回りに回動させる第１係合ピン３９ａ及び第２係合ピン３９ｂが、可動板３５の上端部を挟むように設けられている。また、反転機構支持部３２には、常開接点（ａ接点）側板ばね３７が自由端を上方に延在した状態で並設されており、この板ばね３７の自由端側にａ接点３８の固定接点３８ａが固定され、可動板３５の上部３５ｂに、固定接点３８ａに接続するａ接点３８の可動接点３８ｂが固定されている。
また、図示しないが、連動板３４を間に挟んでａ接点３８に対する逆側の位置に、常閉接点（ｂ接点）側板ばねが自由端を上方に延在した状態で配置されているとともに、この板ばねに対向した状態で接点支持板が配置されている。
【００１９】
リセット棒４３は、図２で拡大図示するように、頭部上面に、リセット棒４３を回すドライバなどの工具を挿入する十字状の溝穴４３ａが形成されて４本の支柱４３ｂ〜４３ｅが形成されている。これら支柱４３ｂ〜４３ｅのうち支柱４３ｅの上端に外方に突出する係止片４３ｆが形成されている。また、支柱４３ｂ及び４３ｅ間の外周面に溝穴４３ａに達し、開閉カバー４の係合凸部６に係合するロック用凹部４３ｇが形成されている。さらに、このリセット棒４３の他端（頭部に対して軸方向の逆側の端部）側の周面には、図５に示すように、頭部に向けて徐々に拡径したリセット駒４３ｈが略９０度の範囲に形成されている。また、頭部とリセット駒４３ｈとの間に形成されている首部には、凸部４３ｉが形成されている。
【００２０】
リセット棒４３は、図５に示すように、絶縁ケース１内の上部に軸方向が上下方向を向くように配置され、下端側の外周に装着した圧縮スプリングからなる復帰スプリング（不図示）により上方に付勢され、頭部が絶縁ケース１の上面から突出している。ここで、図５のように配置したリセット棒４３の凸部４３ｉには、ケーシング２内に設けた回転規制部１ａ，１ｂが両側から対向しており、頭部の略全域が絶縁ケース１の上面から突出しているリセット棒４３を回転しようとしても、回転規制部１ａ，１ｂが凸部４３ｉに当接することで、リセット棒４３の回転が規制されるようになっている。
【００２１】
また、図５の破線で示すように、リセット棒４３をその頭部の略全域がケーシング２内に位置するように押し込むと、リセット棒４３のリセット駒４３ｈは、ａ接点側板ばね３７に接触することで図６（ｂ）に示すトリップ状態となっている可動板３５を初期位置（定常状態）に戻す。
連動板３４の上端にはトリップ操作杆３４ａが形成されている。このトリップ操作杆３４ａは、連動板３４が初期状態のときには、絶縁ケース１の上面に設けた動作表示・手動トリップ操作窓４４（図１参照）から臨むことができる。そして、動作表示・手動トリップ操作窓４４から挿入したドライバなどの工具をトリップ操作杆３４ａに係合し、連動板３４を介して可動板３５をトリップ状態となる方向に回動させることができる。
【００２２】
そして、熱動形過負荷継電器１の背面側に電磁接触器５０が接続されている。この熱動形過負荷継電器１と電磁接触器５０との接続は、図７に示すように、熱動形過負荷継電器１の背面側に設けたカバー１０に形成した例えば３本の接続線スリーブ１１ａ〜１１ｃから突出する接続線１２ａ〜１２ｃを電磁接触器５０の３個の接続端子５１ａ〜５１ｃに電気的に接続することにより行う。
【００２３】
次に、本実施形態の熱動形過負荷継電器１の動作について説明する。
先ず、リセット棒４３を手動リセット状態にした場合の熱動形過負荷継電器の動作について説明する。
図３に示すように、開閉カバー４を開いた状態とすることにより、調整ダイヤル９の調整部９ａが開放されるので、ドライバなどの工具で調整ダイヤル９の調整部９ａを回転して釈放レバー２３の回動角度を変更して整定電流の調整を行なうことができる。
【００２４】
また、動作表示・手動トリップ操作窓４４から挿入したドライバなどの工具をトリップ操作杆３４ａに係合し、熱動形過負荷継電器を試験的に手動トリップ状態とすることができる。すなわち、工具をトリップ操作杆３４ａに係合して、図６（ａ）の初期状態の連動板３４を支軸３３回りに時計回りに回動する。この連動板３４の回動により可動板３５に係合する第２係合ピン３９ｂが、連動板３４をトリップ状態となる方向に回動させ、ａ接点３８の固定接点３８ａ及び可動接点３８ｂが接続する。このとき、図示しないｂ接点の固定接点及び可動接点が離間する。
【００２５】
このように、整定電流の調整や手動トリップ状態の確認を終了したら開閉カバー４を閉じることにより、調整ダイヤル９の調整部９ａや動作表示・手動トリップ操作窓４４が開閉カバー４で覆われる。これに対してリセット棒４３はその頭部が開閉カバー４の挿通孔５内を通じて上方に突出する。このとき、リセット棒４３のロック用凹部４３ｇに開閉カバー４に形成された係合凸部６が係合して、リセット棒４３の回転がロックされ、リセット棒４３の押し込みのみが許容される手動リセット状態となる。
したがって、手動リセット状態では、調整ダイヤル９による整定電流の調整及び手動トリップの操作が不可能となる。
【００２６】
そして、本実施形態の熱動形過負荷継電器に過負荷電流が流れると、図５に示すように、過負荷電流によってヒータ１５ａが発熱して主バイメタル１５が湾曲し、その自由端の変位によってシフタ１６が図５の符号Ｑの矢印方向に変位する。変位したシフタ１６によって温度補償バイメタル２４の自由端が押圧されると、温度補償バイメタル２４に一体化された釈放レバー２３が、調整リンク２２に支持された回動軸２３ａ回りに時計方向に回動していき、釈放レバー２３の引張りコイルばね押圧部２３ｆが引張りコイルばね３６を押圧する。
【００２７】
そして、釈放レバー２３の時計方向の回動が進行し、引張りコイルばね押圧部２３ｆの押圧力が引張りコイルばね３６のばね付勢力を上回ると、可動板３５が下部３５ａを支点として反転動作を行なう。また、この可動板３５の反転動作とともに、第１係合ピン３９ａを介して可動板３５の反転動作が伝達された連動板３４も、支軸３３回りに回動する（図６（ｂ）参照）。
【００２８】
これにより、図６（ａ）の開状態となっていたａ接点３８の固定接点３８ａ及び可動接点３８ｂが接続し、図示しないｂ接点の固定接点及び可動接点が離間し、これらａ接点３８及びｂ接点の情報を基に、例えば主回路に接続した電磁接触器５０を開極動作させて過負荷電流を遮断する。
そして、主回路電流の遮断後、主バイメタル１５の湾曲が十分に戻ったところで、手動リセットを行う場合には、手動リセット状態としたリセット棒４３を、図５で点線図示のように下方に押し込んでいく。
【００２９】
このリセット棒４３の手動リセット動作により、リセット駒４３ｈが、図６（ｂ）のトリップ状態となっている可動板３５に対してａ接点側板ばね３７を介してリセット荷重を作用し、可動板３５を図６（ｂ）に示す初期状態の位置に戻すとともに、第２係合ピン３９ｂを介して連動板３４を初期状態（定常状態）の位置に戻すことで、熱動形過負荷継電器をリセットする。
【００３０】
この手動リセット状態では、図２に示すように、リセット棒４３の開閉カバー４から突出した頭部における電磁接触器５０側の側面が開閉カバー４に形成された押し込み規制突部７で覆われている。このため、図７及び図８に示すように、リセット棒４３に対向する電磁接触器５０の右端のコイル端子５２に電磁接触器５０に内蔵する励磁コイルへの通電を行う配線５３を接続したときに、配線５３の引き回し具合によって、図８に示すように、配線５３が熱動形過負荷継電器１のリセット棒４３に接触する状態となる場合がある。この場合、リセット棒４３の電磁接触器５０側の側面には開閉カバー４に形成された押し込み規制突部７が配置されているので、配線５３は押し込み規制突部７の上部を通って引き回されることになり、配線５３がリセット棒４３に直接接触することを確実に防止することができる。したがって、電磁接触器５０のコイル端子５２やその左端側の補助端子５５に接続する配線の引き回し具合によって配線がリセット棒４３上方を通る場合には、押し込み規制突部７によってリセット棒４３の押し込みを確実に阻止することができる。
【００３１】
しかも、押し込み規制突部７を上述したようにリセット棒４３の右端側にまで延長することにより、配線５３がリセット棒４３の右端側に引き回された場合でも押し込み規制突部７によって配線５３がリセット棒４３に直接接触することを防止することができ、リセット棒４３をリセット動作させる際に配線５３が障害となることがなく、リセット棒４３のスムーズなリセット動作を確保することができる。
【００３２】
一方、手動リセット状態のリセット棒４３を自動リセット状態に切り替えるには、図３に示すように、開閉カバー４を開いて、その係合凸部６とリセット棒４３のロック用凹部４３ｇとの係合を解除する。この状態で、リセット棒４３の溝穴４３ａにドライバなどの工具の先端を挿入し、リセット棒４３を押し込む。この動作により、リセット棒４３に形成した凸部４３ｉの両側には回転規制部１ａ，１ｂが存在しないので（図５参照）、リセット棒４３を回転させることができる。そして、リセット棒４３を時計方向に略９０度回転させる。これにより、凸部４３ｉが回転規制部１ａの下面側に当接してリセット棒４３の上方への移動が規制される。この状態で、リセット棒４３の頭部に形成したロック用凹部４３ｊが開閉カバー４の係合凸部６と係合可能となり、開閉カバー４を閉じることができる。このように開閉カバー４を閉じることにより、開閉カバー４の係合凸部６がリセット棒４３のロック用凹部４３ｊに係合するので、リセット棒４３の回転が規制され、リセット棒４３が自動リセット状態となる。
【００３３】
このように、リセット棒４３が自動リセット状態となるように開閉カバー４を閉じると、調整ダイヤル９の調整部９ａ及び動作表示・手動トリップ操作窓４４が覆われる。したがって、手動リセット状態と同様に、自動リセット状態においても、調整ダイヤル１１による整定電流の調整及び手動トリップの操作が不可能となる。
この状態において過負荷電流が流れると、主バイメタル１５の湾曲が、シフタ１６、温度補償バイメタル２４を介して釈放レバー２３の回動として伝達されていき、釈放レバー２３の反転ばね押圧部２９が引張りコイルばね３６を押圧する。引張コイルばね３６は、リセット棒４３のリセット駒４３ｈの大径部４３ｈ１が当接している連動板３４の第１係合ピン３９ａに反転動作が規制され、ａ接点３８の固定接点３８ａ及び可動接点３８ｂの接点間距離が小さく、図示しないｂ接点の固定接点及び可動接点の接点間距離も小さい状態となる。
【００３４】
そして、リセット棒４３を自動リセット状態に切り替えているときには、過負荷電流が流れていても引張りコイルばね３６は反転動作を完了せず、主バイメタル１５が冷却すると、引張りコイルばね３６は自動的に初期状態に復帰する。
このように、上記第１の実施形態によると、熱動形過負荷継電器１のケーシング２の上面を覆う開閉カバー４にリセット棒４３の押し込みを規制する押し込み規制突部７を形成し、開閉カバー４を閉じた状態で、押し込み規制突部７がリセット棒４３の背面及び右側面に沿うように配置されるので、リセット棒４３の通常の工具を使用するリセット動作には影響を与えず、リセット棒４３に対するリセット動作以外の例えば配線の引き回し等の外部要因による押し込み動作を規制することができる。このため、リセット棒４３が不必要に押し込まれてリセット状態となる誤動作を確実に防止することができる。
【００３５】
このとき、手動リセット状態や自動リセット状態で、開閉カバー４に形成した係合凸部６がリセット棒４３のロック用凹部４３ｇ又は４３ｊに係合するで、リセット棒４３の回転を防止することができる。
しかも、手動リセット状態や自動リセット状態では、開閉カバー４によってケーシング２の上部に配置された調整ダイヤル９の調整部９ａや接点反転機構の動作表示・手動トリップ操作窓４４が覆われるので、調整ダイヤル９による整定電流の調整作業及び手動トリップの操作を不可能としているので、熱動形過負荷継電器の誤操作を防止することができる。
【００３６】
次に、本発明の第２の実施形態について図９〜図１２を伴って説明する。
この第２の実施形態では、押し込み規制突部を開閉カバー４に代えてカバー１０に形成するようにしたものである。
この第２の実施形態では、図９〜図１２に示すように、熱動形過負荷継電器１の背面側に着脱されるカバー１０に押し込み突部７が形成されている。なお、図９〜図１２では、開閉カバー４を取り外した状態を示している。
【００３７】
ここで、カバー１０はケーシング２の背面及び下面に形成された開口部を覆うものであり、図１２に示すように、底面板部１０ａと、この底面板部１０ａの左右両端部から上方に比較的低い高さで延長する左右側面板部１０ｂ，１０ｃと、底面板部１０ａ及び左右側面板部１０ｂ，１０ｃの背面側と接続する背面板部１０ｄとで構成されている。
背面板部１０ｄには、図１１に示すように、下端側に電磁接触器５０との組付けを行う際に電磁接触器５０に係合する接続脚１３が突出形成されている。また、背面板部１０ｄには、上端側に前述した接続線スリーブ１１ａ〜１１ｃが突出形成され、これら接続線スリーブ１１ａ〜１１ｃから接続線１２ａ〜１２ｃが突出されている。接続線スリーブ１１ａ〜１１ｃは、共通の平板状基部１１ｄから突出されている。
【００３８】
そして、背面板部１０ｄには、上端側の右端側に中間段部１０ｅが形成され、この中間段部１０ｅの前端部にリセット棒４３の後端側の外周面を案内する案内面１０ｆが形成されているとともに、この案内面１０ｆの上端に押し込み規制突部７が一体に形成されている。したがって、リセット棒４３はケーシング２に形成された案内面２ａとカバー１０に形成された案内面１０ｆとで上下方向に可動自在に案内されている。
【００３９】
また、開閉カバー４には、図１３に示すように、リセット棒４３及び押し込み規制突部７との接触をさせる切欠４ａが形成されて、この切欠４ａのリセット棒４３の左端側と対向する面に係合凸部６が形成されている。
この第２の実施形態では、上記構成を除いては前述した第１の実施形態と同様の構成を有し、第１実施形態との対応部分には、同一符号を付し、その詳細説明はこれを省略する。
【００４０】
この第２の実施形態によると、熱動形過負荷継電器１のケーシング２の背面側にリセット棒４３を配置した状態で、カバー１０を背面側からケーシング２に挿入することにより、ケーシング２の底面及び背面をカバー１０で覆うことができる。
このとき、カバー１０に形成した案内面１０ｆとケーシング２に形成した案内面２ａとでリセット棒４３を上下方向に摺動自在に案内し、このリセット棒４３のケーシング２の上面から突出した頭部の背面側及び右側面側を囲むように押し込み規制突部７が配置される。
【００４１】
このため、リセット棒４３の電磁接触器５０側及び右側面側が押し込み規制突部７で囲まれることになり、前述した第１の実施形態と同様に、熱動形過負荷継電器１の背面側に電磁接触器５０と接続した状態で、電磁接触器５０のコイル端子５２に配線５３を接続したときに、この配線５３がリセット棒４３の上面に接触するように引き回された場合に、配線５３が押し込み規制突部７の状態に当接することにより、配線５３がリセット棒４３の上端に接触することを確実に防止することができる。したがって、配線５３の引き回し具合によってリセット棒４３がリセット位置に押圧されることを回避して誤動作を防止することができる。
【００４２】
また、押し込み規制突部７がリセット棒４３の右側面側にも延長しているので、配線５３がリセット棒４３の右側面に接触することも確実に防止することができ、リセット棒４３のリセット動作をスムーズに行うことができる。
しかも、押し込み規制突部７がカバー１０に形成されているので、押し込み規制突部７をリセット棒４３の側面に近接させることができ、リセット棒４３の案内面を兼ねることもできる。
【００４３】
ちなみに、押し込み規制突部７を第１の実施形態のように開閉カバー４に形成する場合には、開閉カバー４の開閉時に押し込み規制突部７がリセット棒４３に接触しないようにするために、押し込み規制突部７をリセット棒４３よりは若干離れた位置に形成する必要があり、リセット棒４３の案内機能は発揮することができない。
なお、上記第２の実施形態においては、カバー１０にリセット棒４３の案内面１０ｆと押し込み規制突部７を形成する場合について説明したが、これに限定されるものではなく、リセット棒４３の案内面を省略してリセット棒４３をケーシング２のみで上下方向に摺動自在に支持し、カバー１０には押し込み規制突部７のみを形成するようにしてもよい。
【００４４】
また、上記第２の実施形態においては、開閉カバー４を省略して、調整ダイヤル９の調整部９ａ、動作表示・手動トリップ操作窓４４を覆ったり開放したりできる摺動可能な摺動カバーを配設し、この摺動カバーに係合凸部６を形成するようにしてもよい。
また、上記第１及び第２の実施形態においては、押し込み規制突部７を板状に形成する場合について説明したが、これに限定されるものではなく、リセット棒４３とは反対側の外周面については傾斜面等の任意の形状の外周面とすることができる。
【００４５】
同様に、押し込み規制突部７の平面形状は、リセット棒４３への配線等の接触による押し込みを回避できればよく、リセット棒４３の外周面の半周分を覆ったり、約３／４周分を覆ったりすることができ、押し込み規制突部の周長は任意に設定することができる。
また、上記第１及び第２の実施形態においては、開閉カバー４をヒンジ部３で開閉する構成とした場合について説明したが、これに限定されるものではなく、ケーシング２の上面側から着脱自在に装着するようにしてもよい。
【００４６】
また、上記第１及び第２の実施形態においては、熱動形過負荷継電器１に電磁接触器５０を接続する場合について説明したが、これに限定されるものではなく、電磁接触器５０以外の開閉器などの外部接続機器を接続するようにしてもよい。
【符号の説明】
【００４７】
１…熱動形過負荷継電器、２…ケーシング、４…開閉カバー、５…挿通孔、６…係合凸部、７…押し込み規制突部、８…突出片、９…調整ダイヤル、１０…カバー、１５…主バイメタル、１５ａ…ヒータ、１６…シフタ、２０…調整機構、２１…接点反転機構、２２…調整リンク、２３…釈放レバー、２４…温度補償バイメタル、２５…リンク支持部、３４…連動板、３４ａ…トリップ操作杆、３５…可動板、３６…引張りコイルばね、３７…ａ接点側板ばね、３９ａ…第１係合ピン、３９ｂ…第２係合ピン、４３…リセット棒、４３ａ…溝穴、４３ｂ〜４３ｅ…支柱、４３ｆ…係止片、４３ｇ…ロック用凹部、４３ｈ…リセット駒、４３ｉ…凸部、４３ｊ…ロック用凹部、４４…動作表示・手動トリップ操作窓、４５…操作部、５０…電磁接触器
【図１】
2014107023.tif 000003
【図２】
2014107023.tif 000004
【図３】
2014107023.tif 000005
【図４】
2014107023.tif 000006
【図５】
2014107023.tif 000007
【図６】
2014107023.tif 000008
【図７】
2014107023.tif 000009
【図８】
2014107023.tif 000010
【図９】
2014107023.tif 000011
【図１０】
2014107023.tif 000012
【図１１】
2014107023.tif 000013
【図１２】
2014107023.tif 000014
【図１３】
2014107023.tif 000015